(57)【要約】【課題】アライメント用マークを有し、アレイ配線が静電気破壊を起こしにくい、液晶表示装置を提供する。【解決手段】第１基板２と、その表面から離れて設けられた第２基板３と、両基板間２，３に設けられた液晶４とを備え、第１基板２の表面において、行列状に配置された複数の走査電極８および複数の信号電極９と、それぞれが各走査電極８または各信号電極９に接続され、共に第１基板２の周辺側に配置された走査電極群８ａ，８ｂおよび信号電極群９ａと、第２基板３の裏面において、中央側に配置されたフィルター層６ｂと、周辺側に配置されたアライメント用マーク６ｄとが設けられ、第２基板３の表面側から見られた場合アライメント用マーク６ｄは、走査電極群８ａ，８ｂおよび信号電極群９ａと重ならない様に、離れて配置された。【選択図】図１
2007094252.tif 000002
【特許請求の範囲】
【請求項１】
第１基板と、その表面から離れて設けられた第２基板と、両基板間に設けられた液晶とを備え、前記第１基板の表面において、行列状に配置された複数の走査電極および複数の信号電極と、それぞれが各走査電極または各信号電極に接続され、共に前記第１基板の周辺側に配置された走査電極群および信号電極群と、前記第２基板の裏面において、中央側に配置されたフィルター層と、周辺側に配置されたアライメント用マークとが設けられ、前記第２基板の表面側から見られた場合、前記アライメント用マークは、前記走査電極群および前記信号電極群と重ならない様に、離れて配置された事を特徴とする液晶表示装置。
【請求項２】
前記第１基板の表面において、各走査電極と各信号電極との交点近傍に配置された複数の画素電極と、各走査電極と各信号電極と各画素電極に接続された各スイッチング素子と、複数の第１共通電極と、各画素電極と各第１共通電極との間に接続された各補助コンデンサと、各第１共通電極に接続され、共通電圧が供給される第２共通電極とが設けられ、前記第２基板の表面側から見られた場合、前記アライメント用マークは、前記走査電極群および前記信号電極群および前記第２共通電極と重ならない様に、離れて配置された事を特徴とする請求項１の液晶表示装置。
【請求項３】
第１基板と、その表面から離れて設けられた第２基板と、両基板間に設けられた液晶とを備え、前記第１基板の表面において、行列状に配置された複数の走査電極および複数の信号電極が設けられ、前記第２基板の裏面において、中央側に配置されたフィルター層と、４隅部に配置されたアライメント用マークと、前記フィルター層および前記アライメント用マークとの間に配置されたブラックマトリックスとが設けられ、前記アライメント用マークと前記ブラックマトリックスが導通された事を特徴とする液晶表示装置。
【請求項４】
前記アライメント用マークは、隣接した複数のＬ字状パターンと、第１空白部を介して、横方向に延びる複数の横パターンと、第２空白部を介して、縦方向に延びる複数の縦パターンとから構成された事を特徴とする請求項３の液晶表示装置。
【発明の詳細な説明】
【技術分野】
【０００１】
本発明は液晶表示装置に関する。
【背景技術】
【０００２】
従来、この種の装置は例えば特許文献１に示されている。この特許文献１の図１によると、フィルター用ガラス基板１０において、中央側にフィルター層２１が形成され、周辺側にアライメント用マーク２２が設けられ、フィルター基板セットが設けられている。
【特許文献１】特開２００３−１１４３１７号公報
【発明の開示】
【発明が解決しようとする課題】
【０００３】
本発明者は、上記フィルター基板セットを用いて、液晶表示装置を製造した。即ち、アレイ用ガラス基板上に、行列状に配置された複数の走査電極および複数の信号電極と、走査電極に接続された走査電極群とを有するアレイ基板セットを設けた。そして、フィルター基板セットと、アレイ基板セットの間に液晶を設け、シールし、液晶表示装置を製造した。
【０００４】
しかし、上記装置では、走査電極群が静電気破壊を起こす、欠点がある。本発明者がその原因を究明したところ、アレイ用ガラス基板の表面側から見た場合、アライメント用マークが走査電極群と重なる位置にあるためである。そのため、面積が小さいアライメント用マークに静電気が生じた場合は、静電気による電流が液晶を介して、走査電極群に流れる。
【０００５】
そこで、本発明は、この様な従来の欠点を考慮し、アライメント用マークを有し、アレイ配線が静電気破壊を起こしにくい、液晶表示装置を提供する。
【課題を解決するための手段】
【０００６】
上記課題を解決するために、請求項１の本発明では、第１基板と、その表面から離れて設けられた第２基板と、両基板間に設けられた液晶とを備え、前記第１基板の表面において、行列状に配置された複数の走査電極および複数の信号電極と、それぞれが各走査電極または各信号電極に接続され、共に前記第１基板の周辺側に配置された走査電極群および信号電極群と、前記第２基板の裏面において、中央側に配置されたフィルター層と、周辺側に配置されたアライメント用マークとが設けられ、前記第２基板の表面側から見られた場合、前記アライメント用マークは、前記走査電極群および前記信号電極群と重ならない様に、離れて配置された。
【０００７】
請求項２の本発明では、前記第１基板の表面において、各走査電極と各信号電極との交点近傍に配置された複数の画素電極と、各走査電極と各信号電極と各画素電極に接続された各スイッチング素子と、複数の第１共通電極と、各画素電極と各第１共通電極との間に接続された各補助コンデンサと、各第１共通電極に接続され、共通電圧が供給される第２共通電極とが設けられ、前記第２基板の表面側から見られた場合、前記アライメント用マークは、前記走査電極群および前記信号電極群および前記第２共通電極と重ならない様に離れて配置された。
【０００８】
請求項３の本発明では、第１基板と、その表面から離れて設けられた第２基板と、両基板間に設けられた液晶とを備え、前記第１基板の表面において、行列状に配置された複数の走査電極および複数の信号電極が設けられ、前記第２基板の裏面において、中央側に配置されたフィルター層と、４隅部に配置されたアライメント用マークと、前記フィルター層および前記アライメント用マークとの間に配置されたブラックマトリックスとが設けられ、前記アライメント用マークと前記ブラックマトリックスが導通された。
【０００９】
請求項４の本発明では、前記アライメント用マークは、隣接した複数のＬ字状パターンと、第１空白部を介して、横方向に延びる複数の横パターンと、第２空白部を介して、縦方向に延びる複数の縦パターンとから構成された。
【発明の効果】
【００１０】
請求項１の様に、第２基板の表面側から見られた場合、アライメント用マークは、アレイ配線、即ち、走査電極群および信号電極群と重ならない様に、離れて配置されている。その結果、アライメント用マークに静電気が生じた場合、アレイ配線はオフセットされているので、静電気による破壊が起こりにくい。
【００１１】
請求項２の様に、第２基板の表面側から見られた場合、アライメント用マークは、アレイ配線、即ち、第２共通電極および走査電極群および信号電極群と重ならない様に、離れて配置されている。その結果、アライメント用マークに静電気が生じた場合、アレイ配線はオフセットされているので、静電気による破壊が起こりにくい。また、第２共通電極は複数の第１共通電極（各々が補助コンデンサに接続されている）に接続されているので、第１共通電極部の各部における電圧降下は小さい。
【００１２】
請求項３の様に、アライメント用マークは、比較的に面積が大きいブラックマトリックスに接続されているので、アライメント用マークは静電気を生じにくい。その結果、アレイ配線は静電気破壊を起こしにくい。
【００１３】
請求項４の様に、第１空白部および第２空白部を設ける事により、作業者は、切断位置が基準位置より、どれ位、ずれているかを判断し易い。
【発明を実施するための最良の形態】
【００１４】
以下に、本発明を実施するための最良の形態を、実施例及び図面を用いて詳細に説明する。以下の実施例は、本発明の技術思想を具体化するための液晶表示装置の一例を例示するものである。本発明は、特許請求の範囲に示した技術思想を逸脱することなく、種々の変更を行ったものにも、均しく適用し得る。
【実施例１】
【００１５】
以下、図１ないし図４に従い、本実施例１に係る液晶表示装置１を説明する。図１は液晶表示装置１の部分断面図であり、図４のＡ−Ａ断面図に、他の部品を追加した図面である。図２は液晶表示装置１の電気回路図である。図３は液晶表示装置１を製造するための母基板セットの部分的平面図である。図４は、液晶表示装置１を製造するための、基板セットの部分的平面図である。
【００１６】
図１において、液晶表示装置１は、第１基板２と、その表面から離れて設けられた第２基板３と、両基板２，３間に設けられた液晶４等を有している。第１基板２および第２基板３は、例えばガラス板等からなる。
【００１７】
図２において、第１基板２の表面上において、行列状に、複数の走査電極８と、複数の信号電極９が形成されている。
【００１８】
信号電極９は、図２の上から順に、ｓ１，ｓ２，…ｓ５２７，ｓ５２８で示されたものである。走査電極８は、図２の右から順に、ｇ１，…ｇ１１０，ｇ２２０，…ｇ１１１で示したものである。
【００１９】
図２において、走査電極群８ａは、電極２３、走査電極ｇ１〜ｇ１１０に接続され、第１基板２の周辺側に配置されている。即ち、走査電極群８ａの１端は、電極２３、走査電極ｇ１〜ｇ１１０に接続され、他端は、走査駆動部４３の出力端子ＧＤ１〜Ｇ１１０に接続されている。または、走査電極群８ａは、他端が出力端子ＧＤ１〜Ｇ１１０に接続され１端が電極２３、走査電極ｇ１〜ｇ１１０として一体的に形成されても良い。
【００２０】
同様に、走査電極群８ｂは、走査電極ｇ２２０〜ｇ１１１、電極２２に接続され、第１基板２の周辺側に配置されている。即ち、走査電極群８ｂの１端は、走査電極ｇ２２０〜ｇ１１１、電極２２に接続され、他端は、走査駆動部４４の出力端子Ｇ２２０〜ＧＤ３に接続されている。または、走査電極群８ｂは、他端が出力端子Ｇ２２０〜ＧＤ３に接続され，１端が走査電極ｇ２２０〜ｇ１１１、電極２２として一体的に形成されても良い。
【００２１】
更に、信号電極群９ａは、信号電極ｓ１〜ｓ５２８に接続され、第１基板２の周辺側に配置されている。即ち、信号電極群９ａの１端は、信号電極ｓ１〜ｓ５２８に接続され、他端は、信号駆動部４５の出力端子Ｓ１〜Ｓ５２８に接続されている。または、信号電極群９ａは、他端が出力端子Ｓ１〜Ｓ５２８に接続され，１端が信号電極ｓ１〜ｓ５２８として一体的に形成されても良い
複数の画素電極１０は、各走査電極８と、各信号電極９の交点近傍に配置されている。各スイッチング素子１１は、各走査電極８と、各信号電極９と、各画素電極１０に接続されている。
【００２２】
各スイッチング素子１１は例えば、ＴＦＴ（薄膜トランジスタ）等からなる。各スイッチング素子１１のソースは各信号電極９に接続されている。各スイッチング素子１１のゲートは各走査電極８に接続されている。各スイッチング素子１１のドレインは、各画素電極１０に接続されている。
【００２３】
複数の第１共通電極Ｃ１，…Ｃ１１０，Ｃ２２０，…Ｃ１１１は、第１基板２上に配置されている。各第１共通電極Ｃ１，…Ｃ１１０，Ｃ２２０，…Ｃ１１１は、走査電極ｇ１，…ｇ１１０，ｇ２２０，…ｇ１１１に隣接して配置されている。
【００２４】
各補助コンデンサ１２は、各画素電極１０と、各第１共通電極Ｃ１〜Ｃ２２０との間に接続されている。
【００２５】
即ち、例えば、第１基板２上に第１共通電極Ｃ２２０が形成されている。第１共通電極Ｃ２２０上に絶縁膜（図示せず）が部分的に形成されている。
【００２６】
画素電極１０は、この絶縁膜上および第１基板２上に形成されている。これらの第１共通電極Ｃ２２０と、上記絶縁膜と、画素電極１０とにより、補助コンデンサ１２が形成されている。
【００２７】
第２共通電極１３は第１基板２上に形成され、各第１共通電極Ｃ１〜Ｃ２２０に接続され、閉回路として構成されている。
【００２８】
第２共通電極１３は、入力端子１４，１５，１６を介して、共通電圧（例えば、直流５ボルト）が供給される。
【００２９】
第２共通電極１３は例えばアルミニュウム等からなる。第２共通電極１３は、第１基板２上に、例えば、厚さが２０００オングストローム、幅が１００μｍないし５００μｍにて形成されている。
【００３０】
第２共通電極１３は、幅が１００μｍ以上になると、第１共通電極Ｃ１〜Ｃ２２０における電圧降下が減ることにより、実用上、差し支えない程度に、クロストークやフリッカの発生を防止できる。
【００３１】
また、第２共通電極１３は、幅が５００μｍを越えても、幅が５００μｍの時と、上記電圧降下値は変わらない。従って、第２共通電極１３は、幅が１００μｍないし５００μｍが望ましい。
【００３２】
第２共通電極１７は第１基板２上に、第２共通電極１３と離れて配置されている。例えば、第２共通電極１３は、第１基板２の１辺近傍に配置されている。第２共通電極１７は上記１辺に対向する位置にある第１基板２の他辺近傍に配置されている。
【００３３】
第２共通電極１７は、各第１共通電極Ｃ１〜Ｃ２２０に接続され、閉回路として構成されている。
【００３４】
第２共通電極１７は、入力端子１８を介して、共通電圧（例えば、直流５ボルト）が供給されている。
【００３５】
第２共通電極１７は、例えばアルミニュウム等からなる。第２共通電極１７は、第１基板２上に、例えば、厚さが２０００オングストローム、幅が１００μｍないし５００μｍにて形成されている。
【００３６】
第２共通電極１７の幅は、１００μｍないし５００μｍが望ましい理由は、第２共通電極１３と同じである。
【００３７】
接続部１９は、第２共通電極１３と、第２共通電極１７とを電気的接続させるものである。接続部１９は、ＩＣ２０内の絶縁基板（図示せず）上に、厚さが２０００オングストローム、幅が１００μｍないし５００μｍのアルミニュウムにて形成されている。
【００３８】
第１共通電極Ｃ１〜Ｃ２２０及び／又は第２共通電極１３及び／又は第２共通電極１７は、第２基板３の背面に設けられた共通電極６ａに電気的接続されている。
【００３９】
ＩＣ２０を構成する走査駆動部４３の各出力端子ＧＤ１〜Ｇ１１０は走査電極２３，ｇ１〜ｇ１１０に接続され、各々、走査電極２３，ｇ１〜ｇ１１０を駆動する。
【００４０】
ＩＣ２０を構成する走査駆動部４４の各出力端子ＧＤ３〜Ｇ２２０は走査電極２２，ｇ１１１〜ｇ２２０に接続され、各々、走査電極２２，ｇ１１１〜ｇ２２０を駆動する。
【００４１】
ＩＣ２０を構成する信号駆動部４５の各出力端子Ｓ１〜Ｓ５２８は，信号電極ｓ１〜ｓ５２８に接続され、各々、信号電極ｓ１〜ｓ５２８を駆動する。
【００４２】
共通線２１は、走査電極ｇ１１１の左側に形成されている。列電極２２は共通線２１の左側に形成されている。
【００４３】
第１共通電極Ｃ１の右側には順に、列電極２３、共通線２４，２５，２６，２７，２８が形成されている。共通線２４〜２８は、第２共通電極１３と、第２共通電極１７との間に接続されている。
【００４４】
信号電極ｓ１の上側には順に、行電極２８，２９，３０が形成されている。信号電極ｓ５２８の下側には順に、行電極３１，３２，３３が形成されている。
【００４５】
スイッチング素子１１は、各列電極２２、ｇ１１１，…ｇ１，２３と、各行電極２９，２８と、各画素電極１０とに接続されている。
【００４６】
各補助コンデンサ１２は、各画素電極１０と、各共通線２１，Ｃ１１１，…Ｃ１，２４との間に形成されている。
【００４７】
同様に、スイッチング素子１１は、各列電極２２、ｇ１１１，…ｇ１，２３と、行電極３１と、各画素電極１０とに接続されている。各補助コンデンサ１２は、各画素電極１０と、各共通線２１，Ｃ１１１，…Ｃ１，２４との間に形成されている。
【００４８】
この様に、走査電極ｇ１〜ｇ２２０と、信号電極ｓ１〜ｓ２２０と、画素電極１０に接続された各ＴＦＴを有する画素等は、表示領域３４である。
【００４９】
また、上記表示領域３４を外れた、各ＴＦＴを有する画素などは、非表示領域３５である。この非表示領域３５は、表示領域３４が、入力された画像データを正確に表示するために必要である。
【００５０】
第１保護ダイオード３６は、列電極２３および走査電極ｇ１〜ｇ１１０と、行電極３０との間に接続されている。第１保護ダイオード３６は、走査電極ｇ１〜ｇ１１０から行電極３０を介して、第２共通電極１３へ、静電気で生じた電流を流すものである。また、上記流れとは、逆の流れ方もある。
【００５１】
第１保護ダイオード３７は、列電極２２および走査電極ｇ１１１〜ｇ２２０と、行電極３３との間に接続されている。第１保護ダイオード３７は、走査電極ｇ１１１〜ｇ２２０から行電極３３を介して、第２共通電極１７へ、静電気で生じた電流を流すものである。また、上記流れとは、逆の流れ方もある。
【００５２】
図１に示す様に、第１基板２の表面上に、第２共通電極２３と、走査電極ｇ１〜ｇ１１０が形成されている。上記電極２３と、ｇ１〜ｇ１１０により、走査電極群８ａは構成されている。絶縁層５ａは、これらの電極１３、２３、ｇ１〜ｇ１１０を覆う様に形成されている。
【００５３】
他のアライメント用マーク５ｂは、第１基板２の４隅に形成されている（図１，３，４では、１個しか図示していない）。２個の他のアライメント用マーク５ｂにより、横線５ｃと、縦線５ｄに従い切断することにより、１個の第１基板セット２ａは切り出される（図３参照）。
【００５４】
上記部品２，１３，２３，ｇ１〜ｇ１１０，５ａ，５ｂ等により、第１基板セット２ａは構成されている。
【００５５】
第２基板３の裏面において、中央側に、フィルター層６ｂが形成されている（図１を参照）。フィルター層６ｂは、Ｒ，Ｇ，Ｂが間隔をおいて、順に繰り返し形成されている。Ｒ，Ｇ，Ｂの各隙間には、ブラックマトリックス６ｃが形成されている。
【００５６】
ブラックマトリックス６ｃは例えばクロムからなり、フィルター層６ｂの周辺にも形成されている（図１参照）。
【００５７】
アライメント用マーク６ｄは例えばクロムからなり、第２基板３の４隅に形成されている（図１，３，４では、１個しか図示していない）。
【００５８】
４個のアライメント用マーク６ｄに従ってハーフカットすることにより、１個の第２基板セット３ａは切り出される（図４参照）。
【００５９】
ブラックマトリックス６ｃおよびフィルター層６ｂの裏面において、例えばＩＴＯからなる共通電極６ａが形成されている。
【００６０】
上記部品３，６ａ，６ｂ，６ｃ，６ｄなどにより、第２基板セット３ａは構成されている。
【００６１】
スペーサ７ａは、共通電極６ａと、絶縁層５ａとの間に配置されている。第２基板３の表面から見れば、スペーサ７ａは、所定の間隔をおいて複数個が配置されている。
【００６２】
図３に示した様に、母基板セット５０は、複数の第１基板セット２ａと、複数のスペーサ７ａと、複数の第２基板セット３ａ等からなる。
【００６３】
母基板セット２ａにおいて、横線５ｃと縦線５ｄに沿って切り出し、横線５１に沿ってハーフカットしたものが基板セット５２である（図４参照）。
【００６４】
図４に示した様に、基板セット５２は、１個の第１基板セット２ａと、複数のスペーサ７ａと、１個の第２基板セット３ａ等からなる。
【００６５】
基板セット５２において、シール部７ｂは共通電極６ａと、絶縁層５ａとの間に配置されている。第２基板３の表面から見れば、シール部７ｂは四角の枠状に形成されている。
【００６６】
シール部７ｂ内に、液晶４が設けられている。以上の部品により、液晶表示装置１は構成されている。
【００６７】
図１に示す様に、第２基板３の表面側から見られた場合、アライメント用マーク６ｄは第２共通電極１３，１７および走査電極群８ａおよび信号電極群９ａと重ならない様に、離れて配置されている。
【００６８】
仮に、第２基板セット３ａが第２共通電極１３，１７を有しないならば、第２基板３の表面側から見られた場合、アライメント用マーク６ｄは、走査電極群８ａおよび信号電極群９ａと重ならない様に、離れて配置されている。
【実施例２】
【００６９】
次に、本発明の実施例２に係る液晶表示装置１ａを説明する。図５は母基板セット５０ａの部分的平面図である。
【００７０】
図５において、縦線５ｄに沿って切断することにより、第１基板セット２ａ（実施例１と同じ）が得られる。横線５１に沿って、ハーフカット（厚さの半分に切断すること）する事により、第２基板セット３ｂが得られる。
【００７１】
第２基板セット３ｂは、第２基板セット３ａに比べ、ブラックマトリックス５３と、アライメント用マーク５４のみが異なる。その他の部品は同一である。
【００７２】
即ち、第２基板セット３ｂにおいて、ブラックマトリックス５３と、アライメント用マーク５４は連続している（隙間がない）。
【００７３】
この様にして、第２基板３の裏面において、中央側に配置されたフィルター層６ｂと、４隅に配置されたアライメント用マーク５４が設けられている。
【００７４】
フィルター層６ｂおよびアライメント用マーク５４との間に、ブラックマトリックス５３が設けられている。アライメント用マーク５４はブラックマトリックス５３と導通されている。
【００７５】
アライメント用マーク５４は、隣接した複数のＬ字パターン５５ａ，５５ｂ，５５ｃが形成されている。
【００７６】
Ｌ字パターン５５ａ，５５ｂ，５５ｃの横部は、第１空白部５６を介して、横方向に延びる複数の横パターン５７ａ，５７ｂ，５７ｃが形成されている。
【００７７】
Ｌ字パターン５５ａ，５５ｂ，５５ｃの各横部は、横パターン５７ａ，５７ｂ，５７ｃに対し、各々、平行な位置にあり、かつ同じ幅である。
【００７８】
Ｌ字パターン５５ａ，５５ｂ，５５ｃの縦部は、第１空白部５９を介して、縦方向に延びる複数の縦パターン５８ａ，５８ｂ，５８ｃが形成されている。
【００７９】
Ｌ字パターン５５ａ，５５ｂ，５５ｃの各縦部は、縦パターン５８ａ，５８ｂ，５８ｃに対し、各々、平行な位置にあり、かつ同じ幅である。
【００８０】
これらの第１基板セット２ａと、第２基板セット３ｂと、複数のスペーサ７ａと、シール部７ｂと、液晶４等により、液晶表示装置１ａは構成されている。
【図面の簡単な説明】
【００８１】
【図１】本発明の実施例１に係る液晶表示装置１の部分断面図である。
【図２】液晶表示装置１の電気回路図である。
【図３】液晶表示装置１を製造するための、母基板セット５０を示す部分的平面図である。
【図４】液晶表示装置１を製造するための、基板セット５２を示す部分的平面図である。
【図５】本発明の実施例２に係る液晶表示装置１ａを製造するための、母基板セット５０ａを示す部分的平面図である。
【符号の説明】
【００８２】
２  第１基板
３  第２基板
４  液晶
６ｂ  フィルター層
６ｄ  アライメント用マーク
８  走査電極
８ａ，８ｂ  走査電極群
９  信号電極
９ａ  信号電極群
【図１】
2007094252.tif 000003
【図２】
2007094252.tif 000004
【図３】
2007094252.tif 000005
【図４】
2007094252.tif 000006
【図５】
2007094252.tif 000007